(57)【要約】【課題】通信トラフィックの増加を抑制することができる通信方法、プログラムおよび通信装置を提供する。【解決手段】通信方法は、複数の照明装置１０とアクセスポイント３０との通信方法であって、複数の照明装置１０のうちの２以上の照明装置１０の制御に関するそれぞれの情報を１つに纏めた電文を一括して、２以上の照明装置１０に送信することを含む。【選択図】図４
2020108075.tif 000002
【特許請求の範囲】
【請求項１】
複数の負荷装置と第１無線通信装置との通信方法であって、
前記複数の負荷装置のうちの２以上の負荷装置の制御に関するそれぞれの情報を１つに纏めた電文を一括して、前記２以上の負荷装置に送信することを含む
通信方法。
【請求項２】
前記電文には、前記複数の負荷装置を制御するそれぞれの制御値と、それぞれの前記制御値に対応付けられた前記複数の負荷装置を識別する識別情報とが含まれる
請求項１に記載の通信方法。
【請求項３】
前記複数の負荷装置は、前記複数の負荷装置のうちの１以上の負荷装置を構成する第１グループと、前記複数の負荷装置のうちの、前記第１グループを除いた複数の負荷装置で構成する第２グループとに分類され、
前記電文は、前記第１グループおよび前記第２グループの少なくともいずれかのグループを指定する情報を含む
請求項１または２に記載の通信方法。
【請求項４】
前記電文は、前記分類された前記第１グループおよび前記第２グループのうちの指定されたグループに、規定された送信期間内で送信される
請求項３に記載の通信方法。
【請求項５】
前記複数の負荷装置を制御するそれぞれの制御値のうちの、一部の制御値が同一である場合、前記電文は、重複する制御値の一部を省略したデータで構成される
請求項１〜４のいずれか１項に記載の通信方法。
【請求項６】
前記複数の負荷装置に前記電文が到達したか否かに関わらず、前記電文は、所定期間を空けて前記複数の負荷装置に送信される
請求項１〜５のいずれか１項に記載の通信方法。
【請求項７】
複数の負荷装置と第２無線通信装置との通信方法であって、
前記第２無線通信装置と異なる第１無線通信装置から一括して送信された、前記複数の負荷装置のうちの２以上の負荷装置の制御に関するそれぞれの情報を１つに纏めた電文を受信することと、
受信した前記電文を他の負荷装置に一括して送信することとを含む
通信方法。
【請求項８】
さらに、他の負荷装置用へのホップ先の制御値が前記電文の中に含まれる場合、前記電文を一括して送信することを含む
請求項７に記載の通信方法。
【請求項９】
前記複数の負荷装置は、前記複数の負荷装置のうちの１以上の負荷装置を構成する第１グループと、前記複数の負荷装置のうちの、前記第１グループを除いた複数の負荷装置で構成する第２グループとに分類され、
前記電文は、前記分類された前記第１グループおよび前記第２グループのそれぞれに、規定された送信期間内において送信され、
当該送信は、前記規定された送信期間とは異なる送信期間内に一括して送信することとを含む
請求項８に記載の通信方法。
【請求項１０】
請求項１〜９のいずれか１項に記載の通信方法をコンピュータに実行させる
プログラム。
【請求項１１】
複数の負荷装置と通信するための通信部を有する通信装置であって、
前記通信部は、前記複数の負荷装置のうちの２以上の負荷装置の制御に関するそれぞれの情報が１つに纏められた電文を、前記通信部を介して、一括して前記２以上の負荷装置に送信する
通信装置。
【発明の詳細な説明】
【技術分野】
【０００１】
本開示は、通信方法、プログラムおよび通信装置に関する。
【背景技術】
【０００２】
従来の無線通信装置として特許文献１には、照明器具を調光制御するための制御情報を送信するシステム制御装置を備える照明システムが開示されている。
【先行技術文献】
【特許文献】
【０００３】
【特許文献１】特開２０１６−１４９２１５号公報
【発明の概要】
【発明が解決しようとする課題】
【０００４】
複数の照明装置とアクセスポイントとの間で通信する環境において、従来の照明システムでは、複数の照明装置にそれぞれ異なる点灯制御を行わせる場合、アクセスポイントが複数の照明装置に対して一台ずつ制御コマンドを送信する。しかし、照明装置の台数が増えれば増えるほど、複数の照明装置とアクセスポイントとの間の通信トラフィックが増加してしまう。
【０００５】
そこで、通信トラフィックの増加を抑制することができる通信方法、プログラムおよび通信装置を提供することを目的とする。
【課題を解決するための手段】
【０００６】
上記目的を達成するために、本開示に係る通信方法の一態様は、複数の負荷装置と第１無線通信装置との通信方法であって、前記複数の負荷装置のうちの２以上の負荷装置の制御に関するそれぞれの情報を１つに纏めた電文を一括して、前記２以上の負荷装置に送信することを含む。
【０００７】
また、上記目的を達成するために、本開示に係る通信方法の一態様は、複数の負荷装置と第２無線通信装置との通信方法であって、前記第２無線通信装置と異なる第１無線通信装置から一括して送信された、前記複数の負荷装置のうちの２以上の負荷装置の制御に関するそれぞれの情報を１つに纏めた電文を受信することと、受信した前記電文を他の負荷装置に一括して送信することとを含む。
【０００８】
また、上記目的を達成するために、本開示に係るプログラムの一態様は、通信方法をコンピュータに実行させる。
【０００９】
また、上記目的を達成するために、本開示に係る通信装置の一態様は、複数の負荷装置と通信するための通信部を有する通信装置であって、前記通信部は、前記複数の負荷装置のうちの２以上の負荷装置の制御に関するそれぞれの情報が１つに纏められた電文を、前記通信部を介して、一括して前記２以上の負荷装置に送信する。
【発明の効果】
【００１０】
本開示に係る通信方法等は、通信トラフィックの増加を抑制することができる。
【図面の簡単な説明】
【００１１】
【図１】図１は、実施の形態に係る無線通信システムを例示するブロック図である。
【図２】図２は、実施の形態に係る無線通信システムに用いられる第１グループの電文を例示する図である。
【図３】図３は、実施の形態に係る無線通信システムに用いられる第１グループの電文を例示する図である。
【図４】図４は、実施の形態に係る無線通信システムの動作を例示するシーケンス図である。
【図５】図５は、実施の形態に係る無線通信システムにおける照明装置の動作を例示するフローチャートである。
【発明を実施するための形態】
【００１２】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置および接続形態、ステップ、ステップの順序等は、一例であり、本開示を限定する趣旨ではない。よって、以下の実施の形態における構成要素のうち、本開示の最上位概念を示す独立請求項に記載されていない構成要素については、任意の構成要素として説明される。
【００１３】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略または簡略化する。
【００１４】
まず、本実施の形態に係る通信方法、プログラムおよび通信装置について説明する。
【００１５】
（実施の形態）
［構成］
図１は、実施の形態に係る無線通信システム１を例示するブロック図である。なお、図１には、無線通信システム１の他に、上位システム４０が図示される。
【００１６】
図１に示すように、無線通信システム１は、複数の照明装置１０と、１以上のアクセスポイント３０と、操作部４０とを有する。
【００１７】
複数の照明装置１０のそれぞれは、周囲を照明することが可能である。複数の照明装置１０は、第１グループと、第２グループとに分類される。第１グループは、複数の照明装置１０のうちの１以上の照明装置１０ａで構成される。第２グループは、複数の照明装置１０のうちの、第１グループを除く１以上の照明装置１０ｂで構成される。より具体的には、第２グループは、第１グループを構成する１以上の照明装置１０ａを当該複数の照明装置１０から除いた、残りの１以上の照明装置１０ｂで構成される。第１グループおよび第２グループは、同じアクセスポイント３０と無線通信可能に接続される。なお、特に言及しない限り、第１グループの照明装置１０ａ、および、第２グループの照明装置１０ｂを総称して照明装置１０と呼ぶ。照明装置１０は、負荷装置の一例である。
【００１８】
なお、本実施の形態では、第１グループおよび第２グループを例示しているが、グループは１つでもよく、３つ以上存在していてもよい。また、アクセスポイント３０とは異なる別のアクセスポイント３０においても同様に、グループ化された１以上の照明装置１０が通信可能に接続される。
【００１９】
また、照明装置１０は、アクセスポイント３０と無線通信可能に接続される。つまり、それぞれの照明装置１０は、アクセスポイント３０を介して、メインコントローラ、および壁スイッチ等の操作部４０と通信可能に接続される。また、本実施の形態では、それぞれの照明装置１０が相互に無線通信可能に接続されてもよい。この場合それぞれの照明装置１０は、アクセスポイント３０を介して取得した電文をホップさせて、同じグループ内における他の照明装置１０に送信することもできる。例えば、それぞれの照明装置１０は、操作部４０の操作によって取得した電文に基づいて、調光、調色、点灯および消灯等を行う。なお、それぞれの照明装置１０は、操作部４０と直接的に無線通信可能に接続されてもよい。
【００２０】
また、例えばユーザが操作部４０を操作することによって、照明装置１０は、中継器としても機能する。つまり、照明装置１０は、操作部４０からモード切換命令を受け付けると、通常モードから中継モードに移行する。通常モードでは、アクセスポイント３０から単に電文を受信し、中継器として機能しないモードである。また、中継モードは、アクセスポイント３０から電文を受信するだけでなく、受信した電文を他の照明装置１０にマルチキャストまたはユニキャストする中継器としての機能を発揮するモードである。例えば、各々の照明装置１０を制御するための制御値が電文に含まれる場合、つまり、中継モードの照明装置１０が各々の照明装置１０を制御するとき、中継モードの照明装置１０は、マルチキャストで電文を一括して送信する。また、各々の照明装置１０の点灯状態を確認するための、各々の照明装置１０が動作を行っている制御値を示す確認情報を含む電文が送信される場合、つまり、中継モードの照明装置１０が送信先の照明装置１０（後述する照明装置１０ａ３に相当する）の点灯状態を確認するとき、中継モードの照明装置１０は、送信先の照明装置１０から自身が動作を行っている制御値を示す確認情報を含む電文を、ユニキャストで受信する。中継モードとなった照明装置１０は、第２無線通信装置の一例でもあり、通信装置の一例でもある。
【００２１】
図２は、実施の形態に係る無線通信システム１に用いられる第１グループの電文を例示する図である。例えば、第１グループは、複数の照明装置１０（本実施の形態では６台の照明装置１０）で構成される。また、図示は省略するが、第２グループは、第１グループとは異なる１以上の照明装置１０で構成される。
【００２２】
図２に示すように、電文とは、それぞれの照明装置１０の点灯状態を制御するそれぞれの制御値を含むそれぞれの情報である。具体的には、電文は、照明装置１０が属するグループを指定する情報であるグループ情報（例えば、上述の第１グループおよび第２グループの少なくともいずれかのグループを指定する情報）と、それぞれの照明装置１０を制御するためのファンクションコード（例えば、それぞれの照明装置１０の調光率および調色率の少なくとも一方）と、グループを構成する複数の照明装置１０をそれぞれ識別する装置ＩＤ（識別情報の一例である）と、それぞれの装置ＩＤに対応付けられた調光率および調色率の少なくとも一方（図２の色温度で示される数値）を示す情報とを含む。つまり、電文には、複数の照明装置１０をそれぞれ制御するための制御に関するそれぞれの情報が１つに纏められる。また、調光率および調色率の少なくとも一方を示す情報は、グループ内における複数の照明装置１０を制御するそれぞれの制御値に相当する。なお、電文には、調光率および調色率の少なくとも一方を示す情報に相当する制御値だけでなく、点灯および消灯等を行う制御値も含まれる。このような制御値は、クエリデータと呼ばれる。
【００２３】
また、電文には、制御値を開始する時刻を示す情報も含む。これにより、規定期間間隔ごとに訪れる制御値を開始するタイミングになれば、それぞれの照明装置１０は、調光、調色、点灯および消灯等を同時に行う、つまり同期をとることができる。このように、それぞれの照明装置１０では、ＴＤＭＡ（Ｔｉｍｅ  Ｄｉｖｉｓｉｏｎ  Ｍｕｌｔｉｐｌｅ  Ａｃｃｅｓｓ）が構築される。
【００２４】
図３は、実施の形態に係る無線通信システム１に用いられる第１グループの電文を例示する図である。図３に示すように、複数の照明装置１０を制御する複数の制御値のうちの、一部の制御値が同一である場合、電文は、重複する制御値の一部を省略したデータで構成される。例えば、図２では、第１グループを構成する６台の照明装置１０のうち、装置１ＩＤ、装置３ＩＤ、装置４ＩＤおよび装置６ＩＤの制御コマンドは共通し、装置２ＩＤおよび装置５ＩＤとの制御コマンドは共通する。そこで、図３では、装置１ＩＤ、装置３ＩＤ、装置４ＩＤおよび装置６ＩＤのそれぞれに識別情報「０００Ａ」を紐付け、装置２ＩＤおよび装置５ＩＤのそれぞれに識別情報「０００Ｂ」を紐付ける。識別情報「０００Ａ」には、調光率５０％、色温度３０００Ｋという情報が紐付けられ、識別情報「０００Ｂ」には、調光率７０％、色温度７０００Ｋという情報が紐付けられる。このように、重複する制御値の一部を省略することで、電文のデータ量を減らす。なお、図３のように重複する制御値の一部を省略することは必須ではなく、単に図２のような電文でもよい。
【００２５】
図１に示すように、それぞれの照明装置１０は、発光モジュール１０１と、制御部１０２と、電源部１０３と、第１通信部１０４とを有する。照明装置１０は、照明設備の一例であってもよい。
【００２６】
発光モジュール１０１は、照明装置１０が周囲を照明するための光を出射する。発光モジュール１０１は、例えば光を放射状に発するＬＥＤ（Ｌｉｇｈｔ  Ｅｍｉｔｔｉｎｇ  Ｄｉｏｄｅ）を有するモジュールである。
【００２７】
制御部１０２は、操作部４０からのモード切換命令によって、通常モードと中継モードとの切り換えを行う。制御部１０２は、第１通信部１０４のモードを切り換えるモード切換部を有する。制御部１０２が中継モードにから通常モードに切り換えると、第１通信部１０４は、アクセスポイント３０からの電文を受信する。また制御部１０２が通常モードから中継モードに切り換えると、第１通信部１０４は、アクセスポイント３０からの電文を受信し、受信した電文を同一グループ内の別の照明装置１０にマルチキャストする。つまり、第１通信部１０４は、アクセスポイント３０から一括して送信された、複数の照明装置１０のうちの２以上の照明装置１０の制御に関するそれぞれの情報を１つに纏めた電文を受信し、受信した電文を一括して他の複数の照明装置１０（２以上の照明装置１０）に送信する。このとき、第１通信部１０４は、第１送信期間（規定された送信期間の一例）とは異なる第２送信期間（異なる送信期間）内に一括して送信する。つまり、中継モードの照明装置１０は、第１送信期間が終了して第２送信期間になると、受信した自動的に電文を送信する。このような送信期間を繰り返す。
【００２８】
制御部１０２は、第１通信部１０４を介して、アクセスポイント３０から受信した新しい電文がすでに保有している電文と同一であれば、新しい電文を破棄する。しかし、制御部１０２は、新しい電文がすでに保有している電文と異なれば、古い電文を新しい電文に書き換える。制御部１０２は、受信した新しい電文をメモリ等の記憶部（図示しない）に格納する。
【００２９】
また、制御部１０２は、発光モジュール１０１の点灯状態を制御する調光回路および調色回路を有する。制御部１０２は、アクセスポイント３０を介して操作部４０から取得した電文に応じて、発光モジュール１０１の発する光を制御する。例えば、制御部１０２は、第１通信部１０４を介してアクセスポイント３０から電文を取得すると、自機の装置ＩＤと一致する電文に示される装置ＩＤが存在しているかどうかを判定する。制御部１０２は、自機の装置ＩＤと一致する装置ＩＤが電文に存在していれば、一致する装置ＩＤに対応付けられた制御値（例えば、調光率および調色率の少なくとも一方を示す情報）に基づいて動作する。例えば、制御部１０２は、電文の制御値に示される調光率に応じて、発光モジュール１０１が発する光の光量を多くしたり、少なくしたりする。また、例えば、制御部１０２は、電文の制御値に示される色温度に応じて、発光モジュール１０１が発する光の色温度を大きくしたり小さくしたりする。このように、制御部１０２は、発光モジュール１０１の光出力を制御することで、調光率を変化させた光を出射したり、調色率を変化させた光を出射したりする。
【００３０】
また、制御部１０２は、発光モジュール１０１の点灯および消灯を制御する。制御部１０２は、第１通信部１０４を介してアクセスポイント３０から取得した電文に応じて、発光モジュール１０１の点灯および消灯を制御する。制御部１０２は、発光モジュール１０１を点灯または消灯させるための制御値を電源部１０３に出力したりする。
【００３１】
電源部１０３は、発光モジュール１０１に電力を供給する電源回路が内蔵されたモジュールである。電源部１０３に内蔵された電源回路は、電源部１０３に接続された配線から供給された交流電流を直流電流に変換し、変換した直流電流を、リード線を介して発光モジュール１０１の光源に供給する。
【００３２】
第１通信部１０４は、アクセスポイント３０と無線通信することが可能な通信モジュールである。第１通信部１０４は、アクセスポイント３０から電文を受信する。照明装置１０が中継モードとなったとき、第１通信部１０４は通信部の一例となる。
【００３３】
アクセスポイント３０は、複数の照明装置１０と無線通信可能に接続するルータ、ハブ等の中継器である。アクセスポイント３０は、第２通信部１３２と、調光センサ１３３とを有する。第２通信部１３２は、操作部４０から電文を受信すると、受信した電文に示されるグループを構成するそれぞれの照明装置１０に対してその電文をマルチキャストする。第２通信部１３２は、通信部の一例である。調光センサ１３３は周囲の照度を検知する照度センサである。調光センサ１３３は、１以上の照明装置１０の発光モジュール１０１が発する光を調光制御するための情報（例えば照度を示す照度情報）を、第２通信部１３２を介して１以上の照明装置１０に送信する。１以上の照明装置１０は、この情報に基づいて所定の点灯を行うこともできる。アクセスポイント３０は、第１無線通信装置の一例であり、通信装置の一例でもある。
【００３４】
また、アクセスポイント３０は、第１送信期間において、分類された第１グループおよび第２グループのそれぞれに電文を送信する。なお、アクセスポイント３０は、第１送信期間において、グループごとに異なるタイミングで電文をそれぞれ送信してもよい。
【００３５】
それぞれの照明装置１０に電文が到達したか否かに関わらず、アクセスポイント３０は、所定期間を空けて複数の照明装置１０に電文を送信する。つまり、アクセスポイント３０は、所定期間ごとに、グループ単位で電文を送信する。これにより、それぞれのグループは、所定期間ごとに新しい電文を取得する。
【００３６】
操作部４０は、タブレット端末、壁スイッチ等であり、それぞれの照明装置１０をグループごとに操作することができる。また、操作部４０は、それぞれの照明装置１０に対して、通常モードと中継モードとの切り換えを操作することができる。操作部４０は、モードを切り換えると、モード切換命令を該当する照明装置１０に対して送信する。なお、モード切換命令をマルチキャストしてもよく、この場合、モード切換命令には該当する照明装置１０の装置ＩＤが対応付けられる。なお、操作部４０は、照明装置１０をアクセスポイント３０のような中継器として機能させるための操作を行うことができてもよい。
【００３７】
［動作］
次に、通信方法、プログラムおよびアクセスポイント３０の動作について説明する。
【００３８】
図４は、実施の形態に係る無線通信システム１の動作を例示するシーケンス図である。図４の無線通信システム１では、アクセスポイント３０と、アクセスポイント３０と通信可能な照明装置１０ａ１、照明装置１０ａ２および照明装置１０ａ３とで構成される。図４では、照明装置１０ａ２は、中継器として設定、つまり中継モードになっている。また、アクセスポイント３０とグループ内の全ての照明装置１０ａ１、１０ａ２、１０ａ３とがペアリング設定されている。なお、図４の無線通信システム１における照明装置１０ａ１、１０ａ２、１０ａ３の台数は、あくまでも一例でありこれに限定されない。
【００３９】
図４に示すように、まず、アクセスポイント３０は、操作部４０から電文を取得すると、第１送信期間において、電文に示されるグループと一致するグループ（照明装置１０ａ１、１０ａ２、１０ａ３）に対して電文を送信する（Ｓ１１）。具体的には、アクセスポイント３０は、電文に示されるグループ情報に基づいて、同じグループ内の全ての照明装置１０ａ１、１０ａ２、１０ａ３に対して、電文をマルチキャストする。
【００４０】
照明装置１０ａ１および照明装置１０ａ２は、アクセスポイント３０から電文を受信する。照明装置１０ａ１は、電文に含まれる複数の装置ＩＤに、自己の装置ＩＤと一致する装置ＩＤが存在していれば、一致する装置ＩＤに対応付けられた制御値（例えば、調光率および調色率の少なくとも一方を示す情報）に基づいて動作する（Ｓ２１）。また、照明装置１０ａ２も、電文に含まれる複数の装置ＩＤに、自己の装置ＩＤと一致する装置ＩＤが存在していれば、一致する装置ＩＤに対応付けられた制御値（例えば、調光率および調色率の少なくとも一方を示す情報）に基づいて動作する（Ｓ３１）。なお、照明装置１０ａ１の点灯状態を確認するために、照明装置１０ａ１は、自身が動作を行っている制御値を示す確認情報を含む電文を所定のタイミングでアクセスポイント３０に送信してもよい。また、照明装置１０ａ２の点灯状態を確認するために、照明装置１０ａ２は、自身が動作を行っている制御値を示す確認情報を含む電文を所定のタイミングでアクセスポイント３０に送信してもよい。
【００４１】
図４の照明装置１０ａ３は、アクセスポイント３０と通信不可であり、アクセスポイント３０から直接的に電文を受信することができない。アクセスポイント３０とグループ内の全ての照明装置１０ａ１、１０ａ２、１０ａ３とがペアリング設定がされているものの、アクセスポイント３０と照明装置１０ａ３との間に障害物が設置される等といった環境の変化によって、アクセスポイント３０と照明装置１０ａ３とが通信することができなくなることがある。
【００４２】
この場合でも、照明装置１０ａ２は、中継器として設定されているため、アクセスポイント３０から電文を受信した後に、受信した電文を第２送信期間中に送信する。具体的には、照明装置１０ａ２は、アクセスポイント３０から受信した電文に他の照明装置１０ａ１、１０ａ３へのホップ先の制御値が電文の中に含まれている場合、アクセスポイント３０から取得した新しい電文を、同じグループ内の他の照明装置１０ａ１、１０ａ３に対して一括して送信する（Ｓ３３ａ、Ｓ３３ｂ）。つまり、照明装置１０ａ２は、第１送信期間とは異なる第２送信期間内に、何ら新たな情報を加えずに受信した電文を転送する。
【００４３】
次に、照明装置１０ａ１は、ステップＳ１１でアクセスポイント３０からすでに取得している新しい電文を有するため、照明装置１０ａ２から受信したステップＳ３３ａの電文を破棄する（Ｓ２２）。
【００４４】
また、照明装置１０ａ３は、ステップＳ１１でアクセスポイント３０から電文を受信することができていない。しかし、ステップＳ３３ｂにより、照明装置１０ａ３は、電文を受信する。このため、照明装置１０ａ３は、照明装置１０ａ２から受信した電文を破棄しない。照明装置１０ａ３は、電文に含まれる複数の装置ＩＤに、自己の装置ＩＤと一致する装置ＩＤが存在していれば、一致する装置ＩＤに対応付けられた制御値（例えば、調光率および調色率の少なくとも一方を示す情報）に基づいて動作する（Ｓ４１）。また、照明装置１０ａ３の点灯状態を確認するために、照明装置１０ａ３は、自身が動作を行っている制御値を示す確認情報を含む電文を所定のタイミングでアクセスポイント３０に送信してもよい。この場合、照明装置１０ａ３は転送先の中継器である照明装置１０ａ２を経由して、照明装置１０ａ３の点灯状態を示す情報を含む電文を送信するため、中継器である照明装置１０ａ２は、この電文に含まれる送信元となる照明装置１０ａ３の装置ＩＤを自身の装置ＩＤ（照明装置１０ａ２の装置ＩＤ）に書き換えて、アクセスポイント３０に送信する。
【００４５】
そして、無線通信システム１は、上述の処理を行う（第２送信期間が経過する）と第１送信期間に戻り、ステップＳ１１に示すように、アクセスポイント３０は、同じグループ内の全ての照明装置１０ａ１、１０ａ２、１０ａ３に対して電文を自動的にマルチキャストする。つまり、アクセスポイント３０は、所定期間を空けて電文を同じグループ内の全ての照明装置１０ａ１、１０ａ２、１０ａ３に対して送信する。電文は、グループ内の全ての照明装置１０ａ１、１０ａ２、１０ａ３に電文が到達したか否かに関わらず、所定期間を空けてグループ内の全ての照明装置１０ａ１、１０ａ２、１０ａ３に送信される。無線通信システム１は、このような処理を、第１送信期間および第２送信期間ごとに繰り返す。
【００４６】
また、照明装置１０ａ３とアクセスポイント３０との間に障害物が設置されると、照明装置１０ａ３とアクセスポイント３０とが直接的に通信不可となる。この場合、照明装置１０ａ３が所望の動作をしなくなるため、ユーザは、照明装置１０ａ３が通信不可の状態に陥っていることを認識できる。このときユーザは、操作部４０を操作して照明装置１０ａ２を中継器として設定することで、照明装置１０ａ２を介してアクセスポイント３０と照明装置１０ａ３とが通信できる。
【００４７】
このように、この無線通信システム１では、グループ単位で電文をマルチキャストするため、グループを構成する照明装置１０ａ１、１０ａ２、１０ａ３の状態を同期させることができる。また、例えば、照明装置１０ａ３が通信不可となっても、照明装置１０ａ２を中継器として設定することで、照明装置１０ａ３を再び、照明装置１０ａ１、１０ａ２と同期させることができる。
【００４８】
次に、ステップＳ４１の動作について詳細に説明する。
【００４９】
図５は、実施の形態に係る無線通信システム１における照明装置１０の動作を例示するフローチャートである。
【００５０】
照明装置１０の制御部１０２は、アクセスポイント３０を介して操作部４０から電文を取得すると、自機の装置ＩＤと一致する電文に示される装置ＩＤが存在しているかどうかを判定する（Ｓ１０１）。
【００５１】
自機の装置ＩＤと一致する電文に示される装置ＩＤが存在していれば（Ｓ１０１でＹＥＳ）、制御部１０２は、一致する装置ＩＤに対応付けられた制御値（例えば、調光率および調色率の少なくとも一方を示す情報）に基づいて動作する（Ｓ１０２）。つまり、制御部１０２は、装置ＩＤに紐付けられた制御値に基づいて、発光モジュール１０１が発する光を制御する。
【００５２】
第１送信期間になればアクセスポイント３０から電文が自動的に送信されるため、制御部１０２は、アクセスポイント３０から受信した新しい電文が保有している電文と同一かどうかを判定する（Ｓ１０３）。
【００５３】
アクセスポイント３０から受信した新しい電文が保有している電文と同一であれば（Ｓ１０３でＹＥＳ）、新しい電文を破棄する（Ｓ１０５）。
【００５４】
一方、アクセスポイント３０から受信した新しい電文が保有している電文と同一でなければ（Ｓ１０３でＮＯ）、保有している電文をアクセスポイント３０から受信した新しい電文に書き換える。アクセスポイント３０から受信した新しい電文が最新の電文となる。
【００５５】
［作用効果］
次に、本実施の形態における通信方法、プログラムおよびアクセスポイント３０の作用効果について説明する。
【００５６】
上述したように、本実施の形態に係る通信方法は、複数の照明装置１０とアクセスポイント３０との通信方法であって、複数の照明装置１０のうちの２以上の照明装置１０の制御に関するそれぞれの情報を１つに纏めた電文を一括して、２以上の照明装置１０に送信することを含む。
【００５７】
これによれば、電文には、複数の照明装置１０のうちの２以上の照明装置１０の制御に関するそれぞれの情報が１つに纏められる。１つに纏められた電文は、それぞれの照明装置１０に一括して、２以上の照明装置１０に送信される。つまり、それぞれの照明装置１０に異なる制御をさせたい場合でも、それぞれの照明装置１０に個別に電文を送る必要もない。このため、制御すべき照明装置１０の台数が多くなっても、それぞれの照明装置１０とアクセスポイント３０との間の通信トラフィックの増加を確実に抑制することができる。
【００５８】
したがって、通信トラフィックの増加を抑制することができる。
【００５９】
特に、通信トラフィックの増加が抑制されるため、この通信方法では、それぞれの照明装置１０に定められている無線周波数帯域を圧迫し難くなる。
【００６０】
また、本実施の形態に係るプログラムは、通信方法をコンピュータに実行させる。
【００６１】
また、本実施の形態に係る通信装置は、複数の照明装置１０と通信するための通信部を有する通信装置である。そして、通信部は、複数の照明装置１０のうちの２以上の照明装置１０の制御に関するそれぞれの情報が１つに纏められた電文を、通信部を介して、一括して２以上の照明装置１０に送信する。
【００６２】
これらの場合においても上述と同様の作用効果を奏する。
【００６３】
また、本実施の形態に係る通信方法において、電文には、複数の照明装置１０を制御するそれぞれの制御値と、それぞれの制御値に対応付けられた複数の照明装置１０を識別する識別情報とが含まれる。
【００６４】
これによれば、電文に複数の照明装置１０を制御するそれぞれの制御値が含まれていても、例えば、照明装置１０が保有する識別情報と一致する識別情報に対応した制御値に基づいて、それぞれの照明装置１０が点灯する。このため、通信方法では、それぞれの照明装置１０を確実に制御することができる。
【００６５】
また、本実施の形態に係る通信方法において、複数の照明装置１０は、複数の照明装置１０のうちの１以上の照明装置１０を構成する第１グループと、複数の照明装置１０のうちの、第１グループを除いた複数の照明装置１０で構成する第２グループとに分類される。そして、電文は、第１グループおよび第２グループの少なくともいずれかのグループを指定する情報を含む。
【００６６】
これによれば、グループ設定した１以上の照明装置１０をグループ単位で制御することができるため、使い勝手がよい。
【００６７】
また、本実施の形態に係る通信方法において、電文は、分類された第１グループおよび第２グループの指定されたグループに、第１送信期間内で送信される。
【００６８】
これによれば、第１送信期間のときにグループごとに電文を送信することで、グループ単位で同期をとることができる。このため、通信方法では、無線通信の混信を回避し易くなる。
【００６９】
また、本実施の形態に係る通信方法において、複数の照明装置１０を制御するそれぞれの制御値のうちの、一部の制御値が同一である場合、電文は、重複する制御値の一部を省略したデータで構成される。
【００７０】
これによれば、重複する制御値の一部を省略することで、電文におけるデータ量をより小さくすることができる。つまり、電文の一部を構成する制御値のデータ量をより小さくすることができる。このため、アクセスポイント３０とそれぞれの照明装置１０との通信トラフィックを減らすことができる。
【００７１】
また、本実施の形態に係る通信方法において、電文は、複数の照明装置１０に電文が到達したか否かに関わらず、所定期間を空けて複数の照明装置１０に送信される。
【００７２】
これによれば、例えば、照明装置１０を新しい照明装置１０に交換する等の環境の変化があったとしても、所定期間ごとに電文を送信することで、新しい照明装置１０がその電文を受信することができる。このため、電文を受信後に、電文に示される制御値に基づいて新しい照明装置１０を制御することができる。
【００７３】
また、複数の照明装置１０は、電文が到達したか否かに関わらず、電文を受信したことを示す応答をアクセスポイント３０に対して送信しない。このため、応答分の通信トラフィックを減らすことができる。
【００７４】
また、本実施の形態に係る通信方法は、複数の照明装置１０と中継モードとなった照明装置１０との通信方法であって、中継モードとなった照明装置１０と異なるアクセスポイント３０から一括して送信された、複数の照明装置１０のうちの２以上の照明装置１０の制御に関するそれぞれの情報を１つに纏めた電文を受信することと、受信した電文を他の照明装置１０に一括して送信することとを含む。
【００７５】
これによれば、電文には、複数の照明装置１０のうちの２以上の照明装置１０の制御に関するそれぞれの情報が１つに纏められる。中継器となった照明装置１０は、その電文を受信する。つまり、それぞれの照明装置１０に異なる制御をさせたい場合でも、それぞれの照明装置１０に個別に電文を送る必要もない。このため、制御すべき照明装置１０の台数が多くなっても、複数の照明装置１０とアクセスポイント３０との間の通信トラフィックの増加を確実に抑制することができる。
【００７６】
また、通信トラフィックの増加が抑制されるため、この通信方法では、それぞれの照明装置１０に定められている無線周波数帯域を圧迫し難くなる。
【００７７】
したがって、通信トラフィックの増加を抑制することで、無線通信の混信を避けることができる。
【００７８】
また、本実施の形態に係る通信方法は、さらに、他の照明装置１０と通信するための中継モードとなった照明装置１０へのホップ先の制御値が電文の中に含まれる場合、電文を一括して送信することを含む。
【００７９】
これによれば、照明装置１０を新しい照明装置１０に交換する等の環境の変化があったとしても、電文を送信するため、新しい照明装置１０がその電文を受信することができる。このため、電文を受信後に、電文に示される制御値に基づいて新しい照明装置１０を制御することができる。
【００８０】
また、本実施の形態に係る通信方法において、複数の照明装置１０は、複数の照明装置１０のうちの１以上の照明装置１０を構成する第１グループと、複数の照明装置１０のうちの、第１グループを除いた複数の照明装置１０で構成する第２グループとに分類される。そして、電文は、分類された第１グループおよび第２グループのそれぞれに、第１送信期間内において送信される。当該送信は、第１送信期間とは異なる第２送信期間内に一括して送信することとを含む。
【００８１】
これによれば、第２送信期間でグループごとに電文を送信することで、無線通信の混信を回避し易くなる。
【００８２】
（その他変形例等）
以上、本開示について、実施の形態に基づいて説明したが、本開示は、上記通信方法、プログラムおよび通信装置に限定されるものではない。
【００８３】
例えば、上記実施の形態に係る通信方法、プログラムおよび通信装置において、第１送信期間では、それぞれの照明装置は、電文を受信したことを示す応答をアクセスポイントに対して送信しない。しかし、それぞれの照明装置は、当該応答を行わないわけではない。例えば、規定期間ごとに、当該応答をアクセスポイントに対して行ってもよい。
【００８４】
また、上記実施の形態に係る通信方法、プログラムおよび通信装置において、複数の照明装置１０のうち、第１グループを構成する１以上の照明装置と、第２グループを構成する１以上の照明装置とは重複していないが、一部の照明装置において２つのグループに属していてもよい。
【００８５】
また、上記実施の形態に係る通信装置は、各々の照明装置における、積算点灯時間および通電時間等の運用に関する情報、電波受信レベルを示す情報、設置位置を示す情報、ＭＡＣアドレス等の各々の照明装置を特定する情報、導入されているソフトウェアに関する情報、動作ログを示す情報、負荷電力量を示す情報等を、各々の照明装置から取得してもよい。
【００８６】
また、上記実施の形態に係る通信装置は、各々の照明装置のソフトウェアを更新する場合に、各々の照明装置に対して新しいソフトウェアを送信してもよい。
【００８７】
また、上記実施の形態に係る通信方法、プログラムおよび通信装置において、上述では照明装置に利用しているが、照明装置の代わりに空調設備、非常時における避難誘導、デジタルサイネージ等に用いてもよい。空調設備に用いた場合、電文は、設定温度、動作モード（冷房、暖房、風向きなど）、風量等を示す制御コマンドを含んでいてもよい。非常時における避難誘導に用いた場合、電文は、避難口に向かって光を走らせるように点灯する制御コマンドを含んでいてもよい。デジタルサイネージに用いた場合、電文は、音及び映像の少なくとも一方を含む情報を再生させる制御コマンドを含んでいてもよい。
【００８８】
また、上記実施の形態に係る通信方法、プログラムおよび通信装置に含まれる各処理部（例えば制御部等）は、典型的に集積回路であるＬＳＩとして実現される。これらは個別に１チップ化されてもよいし、一部または全てを含むように１チップ化されてもよい。
【００８９】
また、集積回路化はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続や設定を再構成可能なリコンフィギュラブル・プロセッサを利用してもよい。
【００９０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９１】
また、上記で用いた数字は、全て本開示を具体的に説明するために例示するものであり、本開示の実施の形態は例示された数字に制限されない。
【００９２】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェアまたはソフトウェアが並列または時分割に処理してもよい。
【００９３】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００９４】
その他、実施の形態に対して当業者が思いつく各種変形を施して得られる形態、本開示の趣旨を逸脱しない範囲で実施の形態における構成要素および機能を任意に組み合わせることで実現される形態も本開示に含まれる。
【符号の説明】
【００９５】
１０  照明装置（第２無線通信装置、通信装置、負荷装置）
３０  アクセスポイント（第１無線通信装置、通信装置）
１０４  第１通信部（通信部）
１３２  第２通信部（通信部）
【図１】
2020108075.tif 000003
【図２】
2020108075.tif 000004
【図３】
2020108075.tif 000005
【図４】
2020108075.tif 000006
【図５】
2020108075.tif 000007